【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）において：
マルチメディア・ブロードキャスト・マルチキャストサービス（ＭＢＭＳ）アクセスクライアントであって、ブロードキャストＭＢＭＳ伝送を介してＤＡＳＨ（dynamic  adaptive  streaming  over  Hypertext  transfer  protocol）メディアセグメントを受け取るＭＢＭＳアクセスクライアントと；
ハイパーテキスト・トランスファー・プロトコル（ＨＴＴＰ）要求を前記ＭＢＭＳアクセスクライアントに送信して前記ＤＡＳＨメディアセグメントを要求し、
前記ＨＴＴＰ要求に応答して、ユニキャストＨＴＴＰメッセージを介して前記ＭＢＭＳアクセスクライアントから前記ＤＡＳＨメディアセグメントを受け取る、
ＤＡＳＨクライアントと；
を具備する、ＵＥ。
【請求項２】
前記ＭＢＭＳアクセスクライアントに結合され、前記受け取ったＤＡＳＨメディアセグメントを格納するキャッシュを更に備え、前記ＤＡＳＨクライアントは、該キャッシュを介して前記ＤＡＳＨメディアセグメントを受け取る、
請求項１に記載のＵＥ。
【請求項３】
前記ＭＢＭＳアクセスクライアントは、前記ＤＡＳＨメディアセグメントに関連付けられる第１のメディアプレゼンテーション記述（ＭＰＤ）メタデータを受け取り、当該ＵＥは更に、第２のＭＰＤメタデータを生成して該第２のＭＰＤメタデータを前記ＤＡＳＨクライアントに提供するＨＴＴＰサーバ回路を備え、前記第２のＭＰＤメタデータは、前記ＭＢＭＳアクセスクライアントへのＭＢＭＳ伝送に利用可能なＤＡＳＨメディアセグメントのサブセット又はスーパーセットに関連付けられ、該サブセット又はスーパーセットは、前記ＤＡＳＨクライアントへのＨＴＴＰ伝送に利用可能なＤＡＳＨメディアセグメントに対応する、
請求項１に記載のＵＥ。
【請求項４】
前記ＭＢＭＳ伝送は、ブロードキャスト・マルチキャスト・サービスセンタ（ＢＭＳＣ）から受け取られる、
請求項１に記載のＵＥ。
【請求項５】
前記ＭＢＭＳアクセスクライアントは更に、配信検証情報及び受信統計値とともにレポートを前記ＢＭＳＣに送信する、
請求項４に記載のＵＥ。
【請求項６】
前記ＭＢＭＳアクセスクライアントは、前記ＭＢＭＳ伝送に関連付けられるＡＬ−ＦＥＣ（application  layer  forward  error  correction）コードをデコードする、
請求項１乃至５のいずれか一項に記載のＵＥ。
【請求項７】
前記ＭＢＭＳアクセスクライアントは更に、１つ以上のリカバリプロシージャを実行して前記ＤＡＳＨメディアセグメントの誤って受け取った部分を取り出す、
請求項１乃至５のいずれか一項に記載のＵＥ。
【請求項８】
前記ＭＢＭＳアクセスクライアントは、ＦＬＵＴＥ（file  delivery  over  unidirectional  transport）プロトコル又はＩＰ（internet  protocol）マルチキャストプロトコルによるファイル配信を介して前記ＭＢＭＳ伝送を受け取る、
請求項１乃至５のいずれか一項に記載のＵＥ。
【請求項９】
ユーザ装置（ＵＥ）によって用いられる装置であって：
ブロードキャスト・マルチキャスト・サービスセンタ（ＢＭＳＣ）からマルチキャスト・ブロードキャスト・マルチメディアサービス（ＭＢＭＳ）ブロードキャスト伝送を介してＤＡＳＨ（dynamic  adaptive  streaming  over  Hypertext  transfer  protocol）メディアセグメントを受け取るための手段と；
前記ＵＥにおいてホストされるＤＡＳＨクライアントから、前記ＤＡＳＨメディアセグメントを要求するハイパーテキスト・トランスファー・プロトコル（ＨＴＴＰ）要求を受け取るための手段と；
前記ＨＴＴＰ要求に応答して、ユニキャストＨＴＴＰシグナリングを介して前記ＤＡＳＨメディアセグメントを前記ＤＡＳＨクライアントに送信するための手段と；
を具備する、装置。
【請求項１０】
前記ＢＭＳＣを有するＭＢＭＳをアクティブにするための手段と；
ユーザサービス発見（ＵＳＤ）シグナリングを介して前記ＢＭＳＣからメディアプレゼンテーション記述（ＭＰＤ）情報を受け取るための手段であって、前記ＭＰＤ情報は前記ＤＡＳＨメディアセグメントに関連付けられる、手段と；
を更に備える、請求項９に記載の装置。
【請求項１１】
前記ＭＰＤ情報は、ＭＢＭＳ伝送に利用可能なＤＡＳＨメディアセグメントに関連付けられる情報を含む第１のＭＰＤ情報であり、当該装置は更に、ＭＢＭＳ伝送に利用可能な前記ＤＡＳＨメディアセグメントのサブセット又はスーパーセットに関連付けられる第２のＭＰＤ情報を前記ＤＡＳＨクライアントに送信するための手段を更に備え、前記サブセット又はスーパーセットは、前記ＤＡＳＨクライアントへのＨＴＴＰ伝送に利用可能なＤＡＳＨメディアセグメントに対応する、
請求項１０に記載の装置。
【請求項１２】
前記ＤＡＳＨクライアントへの後の配信のために前記ＤＡＳＨメディアセグメント及び前記第２のＭＰＤ情報を格納するための手段を更に備える、
請求項１１に記載の装置。
【請求項１３】
前記ＤＡＳＨメディアセグメントを前記ＤＡＳＨクライアントへ送信する前に、前記受け取ったＤＡＳＨメディアセグメントをキャッシュするための手段を更に備える、
請求項９乃至１１のいずれか一項に記載の装置。
【請求項１４】
コンピュータプログラムであって、実行されると、ユーザ装置（ＵＥ）に：
ＤＡＳＨ（dynamic  adaptive  streaming  over  Hypertext  transfer  protocol）メディアコンテンツを含むマルチメディア・ブロードキャスト・マルチキャストサービス（ＭＢＭＳ）ブロードキャスト伝送を受け取らせ；
前記ＵＥのＤＡＳＨクライアントから、前記ＤＡＳＨメディアコンテンツを要求するハイパーテキスト・トランスファー・プロトコル（ＨＴＴＰ）要求を受け取らせ；
前記ＨＴＴＰ要求に応答して、ユニキャストＨＴＴＰメッセージを介して前記ＤＡＳＨメディアコンテンツを前記ＤＡＳＨクライアントに送信させる；
命令を有する、コンピュータプログラム。
【請求項１５】
前記命令は実行されると、前記ＵＥに更に：
前記ＤＡＳＨメディアコンテンツを前記ＤＡＳＨクライアントへ送信する前に、前記ＤＡＳＨメディアコンテンツを格納させる、
請求項１４に記載のコンピュータプログラム。
【請求項１６】
前記ＨＴＴＰ要求は、前記ＤＡＳＨメディアコンテンツに対応する識別子を含む、
請求項１４に記載のコンピュータプログラム。
【請求項１７】
前記命令は実行されると、無線通信デバイスに更に：
ＭＢＭＳブロードキャスト伝送に利用可能なメディアの第１のセットを示す第１のメディアプレゼンテーション記述（ＭＰＤ）を受け取らせ；
第２のＭＰＤを前記ＤＡＳＨクライアントに送信させ；
前記第２のＭＰＤは、前記ＤＡＳＨクライアントへのＨＴＴＰ配信に利用可能なメディアの第２のセットを示し、該メディアの第２のセットは、メディアセグメントの前記第１のセットのサブセット又はスーパーセットであり、該メディアの第２のセットは、前記ＤＡＳＨメディアコンテンツを含む、
請求項１４乃至１６のいずれか一項に記載のコンピュータプログラム。
【請求項１８】
請求項１４乃至１７のいずれか一項に記載のコンピュータプログラムを格納する１つ以上の非一時的なコンピュータ読取可能媒体。